(57)【特許請求の範囲】
【請求項１】
電気的な差込コネクタであって、第１のケーシング部分（２）、第２のケーシング部分（３）、及び前記両方のケーシング部分のうちの１つのケーシング部分（２）に旋回可能に支承された金属製の少なくとも１つの係止用湾曲部材（４）を備えており、
前記第１のケーシング部分（２）に２つの支承ピン（５）を形成してあり、前記第２のケーシング部分（３）に２つの係止突起部（７）を形成してあり、
前記係止用湾曲部材（４）は、２つの係止脚部（１１，１２）及び、該両方の係止脚部（１１，１２）を互いに結合するための１つのグリップ部分（１３）を有しており、
前記係止脚部（１１，１２）はそれぞれ、前記支承ピン（５）のための切欠き部（１５）を備えた１つの支承アーム（１４）及び、前記係止突起部（７）上への係合のための１つの係止アーム（１６）を有している形式のものにおいて、
２つのプラスチック部材（１８）を設けてあり、該プラスチック部材（１８）はそれぞれ、前記各係止脚部（１１，１２）に次のように配置されており、つまり該プラスチック部材（１８）の構成部分（１９）はそれぞれ少なくとも、前記各係止アーム（１６）の、閉鎖位置への前記係止用湾曲部材（４）の旋回に際して前記係止突起部（７）上を滑動するための露出した端部面（２０）と重なり合っていて、前記係止アーム（１６）は、前記係止用湾曲部材（４）の閉鎖位置で前記係止突起部（７）を受容するための凹部（２１）を有しており、前記プラスチック部材（１８）の前記構成部分（１９）は、前記凹部（２１）と重なり合わないように寸法を規定されていることを特徴とする電気的な差込式コネクタ。
【請求項２】
前記係止アーム（１６）の側方に、該係止アームから距離を置いて別のアームを配置してあり、該別のアームは、結合条片部を介して前記係止アーム（１６）の自由端部に結合されており、前記プラスチック部材（１８）は該プラスチック部材（１８）の取り付け領域でもって、前記係止アーム（１６）と前記別のアームとの間に配置されている請求項１に記載の差込コネクタ。
【請求項３】
前記プラスチック部材（１８）は２つの脚部（２２，２３）及び、該両方の脚部（２２，２３）を互いに結合するための１つの連結部（２４）を有しており、前記第１の脚部（２２）に、前記係止アーム（１６）の前記端部面（２０）と重なり合っている前記構成部分（１９）を形成してあり、前記第２の脚部（２３）には、前記支承アーム（１４）の切欠き部（１５）に対応して、前記支承ピン（５）のための切欠き部（２５）を形成してある請求項１又は２に記載の差込コネクタ。
【請求項４】
前記第２の脚部（２３）の切欠き部（２５）と前記第１のケーシング部分（２）の支承ピン（５）との間に締まり嵌め部を形成してある請求項３に記載の差込コネクタ。
【請求項５】
前記係止用湾曲部材（４）は、前記各係止脚部（１１，１２）の側方に、該係止脚部から距離を置いて配置された２つの湾曲部分（２６）を有しており、この場合に該Ｕ字形の湾曲部分（２６）の第１の脚部（２７）は、結合条片部（２８）を介して前記係止アーム（１６）の自由端部に結合されていて、かつ該係止アーム（１６）の側方に該係止アームから距離を置いて配置されており、前記Ｕ字形の湾曲部分（２６）の第２の脚部（２９）は、前記支承アーム（１４）の側方に該支承アームから距離を置いて配置されていて、かつ該支承アーム（１４）の切欠き部（１５）に対応して前記支承ピン（５）のための切欠き部を有しており、該切欠き部は長孔（３０）として形成されており、前記Ｕ字形の湾曲部分（２６）の両方の脚部（２７，２９）は、剛性の結合区分（３１）を介して互いに結合されている請求項１から４のいずれか１項に記載の差込コネクタ。
【請求項６】
前記プラスチック部材（１８）の構成部分（１９）は、該構成部分が前記係止アーム（１６）の、閉鎖位置への前記係止用湾曲部材（４）の旋回に際して前記第２のケーシング部分（３）の前記係止突起部（７）上を滑動するための前記端部面（２０）とも、前記別のアーム若しくは前記第１の脚部（２７）の対応する面（３２）とも重なり合うように寸法を規定されている請求項２から５のいずれか１項に記載の差込コネクタ。
【請求項７】
前記プラスチック部材（１８）は、前記係止脚部（１１，１２）及び／又は前記湾曲部分（２６）に嵌合結合されている請求項１から６のいずれか１項に記載の差込コネクタ。
【請求項８】
前記第２のケーシング部分（３）の係止突起部（７）は、プラスチック若しくはアルミニウムから成っている請求項１から７のいずれか１項に記載の差込コネクタ。
【請求項９】
請求項１から８のいずれか１項に記載の電気的な差込コネクタ（１）の２つのケーシング部分（２，３）の係止のための係止用湾曲部材であって、２つの係止脚部（１１，１２）及び、該両方の係止脚部（１１，１２）を互いに結合するための１つのグリップ部分（１３）を有しており、
前記係止脚部（１１，１２）はそれぞれ、前記一方のケーシング部分（２）に配置された支承ピン（５）のための切欠き部（１５）を備えた１つの支承アーム（１４）及び、前記他方のケーシング部分（３）に配置された係止突起部（７）上への係合のための１つの係止アーム（１６）を有している形式のものにおいて、
２つのプラスチック部材（１８）を設けてあり、該プラスチック部材（１８）はそれぞれ、前記各係止脚部（１１，１２）に次のように配置されており、つまり該プラスチック部材（１８）の構成部分（１９）はそれぞれ少なくとも、前記各係止アーム（１６）の、前記支承アーム（１４）に向けられていて、閉鎖位置への前記係止用湾曲部材（４）の旋回に際して前記係止突起部（７）上を滑動するための露出した端部面（２０）と重なり合っていて、前記係止アーム（１６）は、前記係止用湾曲部材（４）の閉鎖位置で前記係止突起部（７）を受容するための凹部（２１）を有しており、前記プラスチック部材（１８）の構成部分（１９）は、前記凹部（２１）と重なり合わないように寸法を規定されていることを特徴とする、２つのケーシング部分の係止のための係止用湾曲部材。
【請求項１０】
前記プラスチック部材（１８）は２つの脚部（２２，２３）及び、該両方の脚部（２２，２３）を互いに結合するための１つの連結部（２４）を有しており、前記第１の脚部（２２）に、前記係止突起部（７）上に係合するための構成部分（１９）を形成してあり、前記第２の脚部（２３）には、前記支承アーム（１４）の切欠き部（１５）に対応して、前記支承ピン（５）のための切欠き部（２５）を形成してある請求項９に記載の係止用湾曲部材。
【請求項１１】
前記各係止脚部（１１，１２）の側方に、該係止脚部から距離を置いて配置された２つの湾曲部分（２６）を設けてあり、該Ｕ字形の湾曲部分（２６）の第１の脚部（２７）は、結合条片部（２８）を介して前記係止アーム（１６）の自由端部に結合されていて、かつ該係止アーム（１６）の側方に該係止アームから距離を置いて配置されており、前記Ｕ字形の湾曲部分（２６）の第２の脚部（２９）は、前記支承アーム（１４）の側方に該支承アームから距離を置いて配置されていて、かつ該支承アーム（１４）の切欠き部（１５）に対応して前記支承ピン（５）のための切欠き部を有しており、該切欠き部は長孔（３０）として形成されており、前記Ｕ字形の湾曲部分（２６）の両方の脚部（２７，２９）は、剛性の結合区分（３１）を介して互いに結合されており、前記プラスチック部材（１８）は該プラスチック部材（１８）の１つの取り付け領域でもって、前記係止アーム（１６）と前記第１の脚部（２７）との間に配置され、かつ有利には別の取り付け領域でもって前記支承アーム（１４）と前記第２の脚部（２９）との間に配置されている請求項９又は１０に記載の係止用湾曲部材。
【請求項１２】
前記プラスチック部材（１８）の構成部分（１９）は、該構成部分が前記係止アーム（１６）の、閉鎖位置への前記係止用湾曲部材（４）の旋回に際して前記第２のケーシング部分（３）の前記係止突起部（７）上を滑動するための前記端部面（２０）とも、前記第１の脚部（２７）の対応する面（３２）とも重なり合うように寸法を規定されている請求項９から１１のいずれか１項に記載の係止用湾曲部材。
【請求項１３】
前記プラスチック部材（１８）の構成部分（１９）は、前記係止アーム（１６）の幅、前記第１の脚部（２７）の幅、及び前記係止アーム（１６）と前記第１の脚部（２７）との間の間隔の合計の寸法に相当する寸法の幅を有している請求項１２に記載の係止用湾曲部材。
【請求項１４】
前記プラスチック部材（１８）は、前記係止脚部（１１，１２）及び／又は前記湾曲部分（２６）に嵌合結合されている請求項９から１３のいずれか１項に記載の係止用湾曲部材。
【発明の詳細な説明】
【技術分野】
【０００１】
本発明は、電気的な差込コネクタであって、第１のケーシング部分、第２のケーシング部分、及びケーシング部分のうちの１つのケーシング部分に旋回可能に支承された金属製の少なくとも１つの係止用湾曲部材を備えており、この場合に第１のケーシング部分に２つの支承ピンを形成してあり、第２のケーシング部分に２つの係止突起部を形成してあり、係止用湾曲部材が、２つの係止脚部及び、該両方の係止脚部を互いに結合するための１つのグリップ部分を有しており、この場合に係止脚部がそれぞれ、支承ピンへの支承のための１つの支承アーム及び、係止突起部上への係合のための１つの係止アームを有しており、支承アームが支承ピンのための切欠き部若しくは貫通部を備えている形式のものに関する。
【背景技術】
【０００２】
上記形式の電気的な差込式コネクタは、殊に工業領域で用いられており、したがって工業用差込コネクタとも称されている。このような差込コネクタは、一般的に第１のケーシング部分としてのベースケーシング（ケーシング下側部分）若しくはソケットケーシング、並びに第２のケーシング部分としてのカバーケーシング（ケーシング上側部分）若しくは受け口ケーシングを有している。両方のケーシング部分内には、一般的に電気的なケーブルの個々の心線と接続するためのそれぞれ複数の接続端子を配置してあり、接続端子は差込接点若しくはスリーブ接点を有しており、したがってカバー上側部分をケーシング下側部分に被せはめることにより、ケーシング上側部分の端子は、カバー下側部分の対応する端子に導電接続されるようになっている。
【０００３】
工業用差込コネクタは多くの場合に厳しい条件下で用いられ、高いシール特性が求められ、さらに両方のケーシング部分は強い振動及び高い機械的な負荷を受けた場合にも互いに確実に係止されていなければならない。このために少なくとも１つ（多くの場合に２つ）の係止用湾曲部材を用いるようになっており、係止用湾曲部材は一方のケーシング部分に旋回可能に支承されていて、閉鎖位置（係止位置）では他方のケーシング部分に配置された対の係止突起部若しくは係止ピンに係合して、両方のケーシング部分を互いにまとめ合わせ、つまり互いに結合している。
【０００４】
冒頭に述べた形式の伝記的な差込コネクタは、例えば欧州特許出願公開第１６９１４５４Ａ２号明細書により公知である。該差込コネクタにおいては、係止用湾曲部材は金属板材（金属薄板）から一体に打ち抜かれて、ほぼＵ字形に曲げ加工して成形されている。この場合に係止用湾曲部材のＵ・背部（Ｕ字形部材の背部又はヨーク部）若しくはベース部分又は連結部は、グリップ部分を成しているのに対して、両方のＵ・脚部は係止脚部若しくは係止クランプとして形成されている。各係止脚部はそれぞれ、第１のケーシング部分に配置されたヒンジピンに支承される１つの支承アーム及び、第２のケーシング部分に配置された係止ピン上に係合するための１つの係止アームを有しており、支承アームはヒンジピンへの支承のための支承切欠き部を備えている。
【０００５】
類似の差込コネクタがさらにドイツ連邦共和国特許第１０２００４０６１０４６Ｂ４号明細書にも開示されている。該差込コネクタにおいても、係止用湾曲部材は金属板材から一体に打ち抜かれて、曲げ加工成形されている。係止用湾曲部材の、閉鎖位置で係止突起部上に係合する係止アームは、剛性に形成されているのに対して、支承アームはばね脚部として形成されている。係止用湾曲部材（係止用湾曲部品）を金属板材から打ち抜きかつ曲げ加工することにより、係止用湾曲部材の製造は簡単かつ安価に行われている。しかしながら欠点として、係止用湾曲部材の打ち抜きに基づき打ち抜き縁部を生ぜしめ、該打ち抜き縁部（打ち抜きエッジ）は係止に際して第２のケーシング部分の係止突起部を損傷させてしまっている。
【０００６】
係止突起部をプラスチック若しくは比較的軟らかい金属、例えばアルミニウムによって形成してある場合には、閉鎖位置への係止用湾曲部材の旋回に際して係止突起部の表面摩耗を惹起しており、このことは最終的に係止突起部の切除につながっている。係止突起部を比較的硬い金属によって形成してある場合にも、閉鎖位置への係止用湾曲部材の旋回に際して両方の金属部分間の摩擦、つまり係止突起部と係止用湾曲部材との間の摩擦を生ぜしめており、これにより両方の金属部分の表面は損傷を受け、ひいては早期に腐食してしまっている。
【先行技術文献】
【特許文献】
【０００７】
【特許文献１】欧州特許出願公開第１６９１４５４Ａ２号明細書
【特許文献２】ドイツ連邦共和国特許第１０２００４０６１０４６Ｂ４号明細書
【発明の概要】
【発明が解決しようとする課題】
【０００８】
本発明の課題は、冒頭に述べた形式の電気的な差込コネクタ、若しくは両方のケーシング部分のための係止用湾曲部材、殊に電気的な差込コネクタの両方のケーシング部分のための係止用湾曲部材を改善して、前述の欠点を避けることである。同時に、係止用湾曲部材によって両方のケーシング部分間の確実かつ耐久性のある係止を保証することである。
【課題を解決するための手段】
【０００９】
前記課題を解決するために本発明の構成では、冒頭に述べた形式の電気的な差込コネクタにおいて、２つのプラスチック部材を設けてあり、各プラスチック部材はそれぞれ、係止用湾曲部材の各係止脚部に配置されており、この場合に各プラスチック部材の構成部分はそれぞれ少なくとも、各係止脚部の係止アームの、閉鎖位置への係止用湾曲部材の旋回に際してケーシング部分の係止突起部上を滑動するための露出した端部面と重なり合っており、換言すれば、各プラスチック部材は係止用湾曲部材の各係止脚部に装着されていて、係止脚部の各係止アームの、閉鎖位置への係止用湾曲部材の旋回に際してケーシング部分の係止突起部上への係合のための露出した端部面と重なり合う構成部分（構成要素）を備えている。
【発明の効果】
【００１０】
本発明に基づきプラスチック部材を配置することにより、金属製の係止用湾曲部材が閉鎖位置（係止位置）への旋回に際して係止突起部を摩耗してしまうようなことは避けられ、それというのは、係止用湾曲部材の係止アームの、係止突起部に対応配置された端部面、つまり係止突起部上に係合する露出した端部面と係止突起部との間にプラスチック部材の一部分（１つの構成部分）を配置してあり、該構成部分は閉鎖位置への係止用湾曲部材の旋回に際して係止突起部上を滑動するようになっているからである。
【００１１】
本発明の有利な実施態様では、係止アームは、係止用湾曲部材の閉鎖位置で係止突起部と係合させるための凹部を有しており、該凹部内に係止突起は係止用湾曲部材の閉鎖位置で入り込み、その結果、係止用湾曲部材は閉鎖位置でロックされ、両方のケーシング部分間の係止のための力は、金属製の係止用湾曲部材によって、殊に係止脚部によって受け止められるようになっている。この場合にプラスチック部材の、係止突起部上を滑動するための構成部分は、係止アームの凹部とは重なり合わないように寸法を規定され、つまり係止アームの先端と凹部との間を延びていて、凹部の前で終わっている。プラスチック部材の構成部分は、閉鎖位置への係止用湾曲部材の旋回に際して係止突起部に対する滑り支承部を成しているのに対して、係止用湾曲部材の完全な閉鎖位置では係止アームは該係止アームに設けられた凹部でもって係止突起上に係合している。
【００１２】
原理的には、プラスチック部材を係止アームにどのように取り付けるかは種々の手段がある。例えば、プラスチック部材は係止アームの端部に接着されてよく、若しくは係止アームの所定の領域にプラスチック部材を射出成形することも可能である。本発明の有利な実施態様では、係止脚部に対応配置されるプラスチック部材は別個のプラスチック射出成形部品として形成されている。係止脚部へのプラスチック部材の取り付け若しくは固定は、本発明の実施態様では、係止アームの側方に、該係止アームから距離を置いて別のアームを配置し、該別のアームを、結合条片部（結合のための条片状の区分）を介して係止アームの自由端部に結合してあり、プラスチック部材を該プラスチック部材の取り付け領域でもって、係止アームと別のアームとの間に配置することによって行われるようになっている。この場合に、プラスチック部材の取り付け領域は、係止アームと該係止アームの側方に該係止アームから離して配置された別のアームとの間に締め付けられるようになっていてよい。
【００１３】
本発明の有利な実施態様では、プラスチック部材は２つの脚部及び、該両方の脚部を互いに結合している１つの連結部（結合区分）から成っており、この場合に第１の脚部に、係止アームの端部面と重なり合う構成部分を形成してあり、第２の脚部には、支承アームの切欠き部に対応して、つまり支承アームの切欠き部と合致するように、支承ピンのための切欠き部を形成してある。プラスチック部材のこのような構成により利点として、プラスチック部材は、該プラスチック部材を係止脚部に組み付けた状態では、第１のケーシング部分に形成された支承ピンが係止脚部の支承アームの切欠き部内を貫通するだけではなく、プラスチック部材の第２の脚部の対応する切欠き部をも貫通していることに基づき所定の位置に保持されるようになっている。開放位置から閉鎖位置への係止用湾曲部材の旋回に際して、プラスチック部材も支承ピンを中心として旋回させられる。
【００１４】
上記構成のプラスチック部材は、係止用湾曲部材のひとりでに生じる不都合な旋回を避けるためにも用いられ得るものである。このために、プラスチック部材の第２の脚部の切欠き部と第１のケーシング部分の支承ピンとの間に締まり嵌め部（若しくはプレス嵌め又は圧入部）を形成してあり、換言すれば、切欠き部の寸法を支承ピンの寸法若しくは直径よりもわずかに小さくしてあり、締まり嵌め部は、係止用湾曲部材に所定の力を加えた場合にのみ係止用湾曲部材の旋回を許すようになっている。プラスチック部材の第２の脚部の切欠き部と支承ピンとの間の締まり嵌め部は、係止用湾曲部材が一方では、大きな力を加えることなしに、手動で旋回させられるものの、他方では力を加えることなしには、旋回させられたあらゆる位置に留まっているように規定されている。
【００１５】
本発明の有利な実施態様では、プラスチック部材は、係止アームの露出した端部面と重なり合う１つの構成部分と１つの取り付け領域を有しているだけではなく、ほぼＵ字形に形成されているように、係止アームの側方に、それも該係止アームから間隔を置いて別の１つのアームを配置するだけではなく、ほぼＵ字形の湾曲部分（湾曲エレメント）を配置してある。このような有利な実施態様により、係止用湾曲部材は、両方の係止脚部の側方に、かつ該係止脚部から間隔を置いて配置されたそれぞれ１つ、全体で２つのＵ字形の湾曲部分を有しており、この場合に湾曲部分の第１の脚部は、結合条片部（結合のための条片状の区分、結合ウエブ）を介して係止アームの自由端部に結合されていて、かつ該係止アームの側方に該係止アームから距離を置いて位置するように折り曲げられている。湾曲部分の第２の脚部は、支承アームの側方に、それも該支承アームから距離を置いて配置されていて、かつ該支承アームの切欠き部に対応して支承ピンのための切欠き部を有している。Ｕ字形の湾曲部分の両方の脚部は、剛性の結合区分を介して互いに結合されており、結合区分（連結部）は、Ｕ字形の湾曲部分のＵ背部を成している。
【００１６】
係止アームと一体に結合されている湾曲部分は、第１の脚部が係止アームの自由端部に対してほぼ平行に向けられ、かつ第２の脚部が支承アームに対してほぼ平行に向けられるように１８０°にわたって折り曲げられていて、プラスチック部材の保持のためにだけではなく、係止脚部の過度な伸び（拡開）を防止するための防止手段としても用いられるようになっているものである。このために、湾曲部分の第２の脚部の切欠き部は長孔として形成されている。係止脚部は係止突起部に沿って滑動する際に係止脚部自体の弾性作用に基づき拡開するので、湾曲部分の第１の脚部も、該脚部と係止アームとの結合に基づき移動させられ、つまり連行され、この場合に該移動は、第２の脚部に設けられていて支承ピンを受容する長孔の寸法（長孔の長軸の長さ）によって制限されるようになっている。
【００１７】
係止用湾曲部材によって互いに結合（係止）されている両方のケーシング部分が、引き離し方向の外力を受けた場合には、係止用湾曲部材の拡開は、湾曲部分の第２の脚部の長孔内での支承ピンの可能な最大の移動距離に制限されている。係止用湾曲部材の引き続く拡開は、剛性の湾曲部分（湾曲エレメント）によって阻止され、その結果、両方のケーシング部分に大きな引っ張り力が作用した場合の係止用湾曲部材の過度な伸びは、避けられるようになっている。つまり両方のケーシング部分間の係止用湾曲部材に作用する力は、剛性の湾曲部分によって受け止められるようになっている。剛性の湾曲部分は、湾曲部分の第２の脚部の長孔の構成に基づき、係止用湾曲部材の許容可能なわずかな拡開を許すようになっており、閉鎖位置への係止用湾曲部材の旋回は容易になっており、それというのは係止アームは係止脚部の限定的な弾性に基づき係止突起部に沿って容易に開き旋回させられるようになっているからである。
【００１８】
プラスチック部材の、第２のケーシング部分の係止突起部上に係合するための構成部分は、該構成部分が係止アームの、閉鎖位置への係止用湾曲部材の旋回に際して第２のケーシング部分の係止突起部上に係合するための端部面とも、別のアーム若しくは第１の脚部の対応する面とも重なり合うように寸法を規定されている。プラスチック部材は、係止用湾曲部材の係止脚部及び／又は湾曲部分に嵌合結合されている。第２のケーシング部分の係止突起部は、プラスチック若しくはアルミニウムから成っている。
【００１９】
前記課題は、２つのケーシング部分の係止のための係止用湾曲部材、殊に電気的な差込コネクタの２つのケーシング部分の係止のための係止用湾曲部材であって、２つの係止脚部及び、該両方の係止脚部を互いに結合している１つのグリップ部分から成っている形式のものにおいて、本発明に基づく次の構成により解決されるようになっており、つまり、２つのプラスチック部材を設けてあり、該プラスチック部材はそれぞれ、ケーシング部分の係止突起部上に係合するための構成部分を備えていて、係止用湾曲部材の各係止脚部に次のように配置されており、つまり該プラスチック部材の構成部分はそれぞれ少なくとも、係止脚部の各係止アームの、支承アームに向けられていて、閉鎖位置への係止用湾曲部材の旋回に際してケーシング部分の係止突起部上を滑動することになる露出した端部面と重なり合っている。本発明に基づくこのような係止用湾曲部材によっても、本発明に基づく電気的な差込コネクタについて述べた利点が得られるようになっている。
【００２０】
本発明に基づく係止用湾曲部材の有利な実施態様では、係止脚部の係止アームは、係止用湾曲部材の閉鎖位置で１つのケーシング部分の係止突起部と係合させるための凹部、つまり係止突起部を受容するための凹部を有しており、この場合にプラスチック部材の、係止アームの端部面と重なり合うようになっていて係止突起部上を滑動するための構成部分は、係止アームの凹部とは重なり合わないように寸法を規定されている。これによって、すでに前に述べてあるように、ケーシング部分の係止突起部は、係止用湾曲部材の閉鎖位置で金属製の係止アームの凹部内に入り込み、つまり凹部に受容（係合）されて、閉鎖位置にロックされるようになっている。
【００２１】
本発明に基づく係止用湾曲部材の別な有利な実施態様では、グリップ部分に操作開口部を設けてあり、該操作開口部内に操作工具、例えばねじ回し（ドライバー）の先端を差し込むようにしてある。これにより、係止用湾曲部材の操作は、狭い取り付けスペースに基づき若しくは差込式コネクタの取り付け状態若しくは組み付け状態に起因して係止用湾曲部材若しくはグリップ部分への接近（アクセス）が困難である場合にも容易に行われるようになっている。さらに、操作開口部内に差し込まれたねじ回しを用いることにより、係止用湾曲部材の開閉のための大きな力を係止用湾曲部材に作用させることができるようになっている。
【００２２】
両方の係止脚部とグリップ部分とを一体に結合してある場合には、係止用湾曲部材は特に簡単に打ち抜き・曲げ加工部品として成形される。係止用湾曲部材のこのような一体構造は、係止用湾曲部材の機械的な安定性、形状安定性を高めるものであり、頑丈で、したがって確実な係止が保証された係止用湾曲部材を安価に提供できるようになっている。
【００２３】
本発明の別の実施態様を従属請求項に記載してある。次に本発明を図示の実施例に基づき詳細に説明する。
【図面の簡単な説明】
【００２４】
【図１】第１のケーシング部分と第２のケーシング部分とを備えた差込コネクタの、まだ相互に係止されていない状態での斜視図である。
【図２】図１の差込式コネクタの係止状態での斜視図である。
【図３】本発明に基づく係止用湾曲部材の斜視図である。
【図４】図３の係止用湾曲部材の、プラスチック部材を取り除いた状態での斜視図である。
【図５】図３の係止用湾曲部材の両方のプラスチック部材を単独に示す斜視図である。
【図６】図３の係止用湾曲部材のための、ばね鋼部材から打ち抜かれた打ち抜き加工部品の平面図である。
【発明を実施するための形態】
【００２５】
図１及び図２には、電気的な差込コネクタ１を示してあり、差込コネクタ１は、第１のケーシング部分２としてのケーシングベース部分及び第２のケーシング部分３としてのケーシングカバーを有している。両方のケーシング部分２，３内には、電気的なケーブルの個々の心線と接続するためのそれぞれ複数の接続端子（雄コンタクト若しくは雌コンタクト）を配置してあるものの、該接続端子は図示を省略してあり、それというのは本発明は、両方のケーシング部分２，３間の係止に関するものであるからである。
【００２６】
両方のケーシング部分２，３の相互の固定（結合）若しくは係止のために、図示の実施例では同一の２つの係止用湾曲部材４を設けてあり、該係止用湾曲部材（係止用Ｕ字形部材）は第１のケーシング部分２に旋回可能に取り付けられている。係止用湾曲部材４の支承のために、それぞれ２つの支承ピン５を設けてあり、つまり図示の実施例では、第１のケーシング部分２は全体で４つの支承ピン５を有しており、支承ピン５はそれぞれ対を成して、かつ互いに相対して第１のケーシング部分２の長手方向（広幅側）の両方の縦壁（広幅壁）６に配置されている。
【００２７】
第２のケーシング部分３、つまりケーシングカバー部分若しくはケーシング上側部分を第１のケーシング部分２に係止するために、第２のケーシング部分３に、係止ピンとして形成された４つの係止突起部７を設けてある。係止突起部７はそれぞれ対を成して、かつ互いに相対して第２のケーシング部分３の長手方向（広幅側）の両方の縦壁８に配置されており、この場合に係止突起部７は第２のケーシング部分３に一体に形成されているか、若しくは別個の係止ピンとして第２のケーシング部分３に適切な手段で固着され、例えばリベット留めされている。両方のケーシング部分２，３も支承ピン５及び係止突起部７も、有利には金属から成っている。
【００２８】
図１及び図２に示してあるように両方の係止用湾曲部材４を第１のケーシング部分２に取り付ける代わりに、係止用湾曲部材４は第２のケーシング部分３に旋回可能に支承されていてもよく、これに対応して、支承ピンは支承ピン５も第２のケーシング部分３に配置され、つまり取り付けられるのに対して、係止突起部７は第１のケーシング部分２に配置される。さらに図示の実施例では、ケーシング部分２に対して横方向（ケーシング部分の長手方向（広幅側）に対して垂直な方向）に向けられていてケーシング部分の縦壁（広幅壁）に支承される横配置形湾曲部材（横係止形湾曲部材）として形成された係止用湾曲部材４を、長手方向（縦方向）に向けられていてケーシング部分の横壁（狭幅壁）に支承される縦配置形湾曲部材として形成することも可能であり、この場合には、支承ピン５及び係止突起部７も、ケーシング部分（ケーシングベース部分２若しくはケーシングカバー部分３）の縦壁６，８にではなく、ケーシング部分の横壁（狭幅壁）９，１０に配置される。さらに、特殊な差込コネクタにおいては、方のケーシング部分２，３を相互に係止するために、１つの係止用湾曲部材４だけしか用いなくても十分である。電気的な差込コネクタが１つの係止用湾曲部材４しか備えていない場合には、支承ピン５は、一般的にケーシング部分２の縦壁６若しくは横壁９の中央に配置され、若しくはケーシング部分３の縦壁８若しくは横壁１０の中央に配置される。
【００２９】
図３に単独に示してある係止用湾曲部材４は、相対して位置する２つの係止脚部１１，１２、及び該両方の係止脚部１１，１２を互いに結合する１つのグリップ部分１３によって成形されており、この場合に両方の係止脚部１１，１２はそれぞれ、支承ピン５への支承のための支承アーム１４及び、係止用湾曲部材４の閉鎖位置（係止位置）での係止突起部７上への係合のための係止アーム１６を有しており、支承アーム１４は、支承ピン５の差込のための切欠き部（貫通部又は孔）１５を備えている。ほぼＶ字形に形成された両方の係止脚部１１，１２は、係止用湾曲部材４を図１に示す開放位置（係止解除位置）から図２に示す閉鎖位置（係止位置）へ旋回させる場合に、両方の係止脚部１１，１２が互いにわずかに拡開できるようにフレキシブルに形成され、つまりたわみ可能に形成されている。係止用湾曲部材４の係止位置では、係止アーム１６は、上側のケーシングカバー部分としてのケーシング部分３の対応する係止突起部７上に係合しており、これによって両方のケーシング部分２，３は互いに固く結合され、つまり互いに分離不能に結合（係止）されている。差込コネクタ１の十分な密閉性（シール特性）を保証するために、第１のケーシング部分２に形成された溝には、ゴムシール１７を配置してあり、ゴムシール１７は両方のケーシング部分２，３の相互の係止状態では両方のケーシング部分２，３を互いに密閉している。
【００３０】
図３、並びに図４及び図５から特に明らかであるように、係止用湾曲部材４の両方の係止脚部１１，１２にはそれぞれプラスチック部材１８を配置してあり、プラスチック部材（プラスチック部品）１８は、閉鎖位置への係止用湾曲部材４の旋回に際して係止突起部７上を滑動するための構成部分１９を有している。構成部分１９は、該構成部分１９が係止アーム１６の、係止用湾曲部材４の閉鎖位置で係止突起部７上に係合するための露出した端部面２０と重なり合うように形成され、若しくは配置されている。これによって、閉鎖位置への係止用湾曲部材４の旋回に際して、係止突起部７の表面を摩滅させ、ひいては係止突起部７を損傷させ、さらには切除してしまうというようなことは避けられるようになっている。係止突起部を損傷あるいは切除してしまうというようなおそれは、特に係止突起部７が係止用湾曲部材４よりも軟らかい金属、例えばアルミニウム若しくはプラスチックから成形してあるのに対して、係止用湾曲部材４が打ち抜き曲げ加工部品として成形されていて、打ち抜きによって生じる表面の粗い打ち抜き縁部若しくは鋭利な打ち抜き縁部を有している場合に生じる。
【００３１】
プラスチック部材１８を係止脚部１１，１２に配置することによって、係止突起部７の損傷は避けられ、それというのは閉鎖位置への係止用湾曲部材４の旋回に際して、両方のプラスチック部材１８の構成部分（滑動部分）１９が係止突起部７上を滑動するようになっているからである。図２に示す差込式コネクタ１の場合には、左側の係止用湾曲部材４は、まだ完全には閉じられていない位置にあり、該位置ではプラスチック部材１８の構成部分１９が係止突起部７上を滑動している。これとは異なり、右側の係止用湾曲部材４は完全に閉じられた位置にあり、該位置では係止アーム１６に形成された凹部２１は、係止突起部７上に係合しており、換言すれば係止突起部７は凹部２１に入り込んでいる。これにより係止用湾曲部材４は、完全に閉鎖された位置でロックされていて、両方のケーシング部分２，３を互いに相互に係止するための力を、それも両方の係止脚部１１，１２によって生ぜしめている。プラスチック部材１８の構成部分９は、凹部（へこみ部）２１と重ならないように寸法を規定され、つまり直前までしか延びておらず、換言すれば係止アームの端部と凹部との間にのみ設けられている。
【００３２】
図５から明らかなように、両方のプラスチック部材１８はそれぞれほぼＵ字形に形成され、つまりそれぞれ２つの脚部２２，２３と、該両方の脚部２２，２３を互いに結合している１つの連結部（結合部又はヨーク部）２４とから成っている。この場合に第１の脚部２２に、係止アーム１６の露出した端部面２０と重なり合う構成部分１９を形成してある。第２の脚部２３には、支承アーム１４の切欠き部（貫通部）１５に対応して、支承ピン５の挿入のための切欠き部（貫通部）２５を形成してあり、その結果、開放位置から閉鎖位置への係止用湾曲部材４の旋回に際して、両方のプラスチック部材１８も支承ピン５を中心として旋回させられるようになっている。切欠き部２５は長孔として形成されており、その結果、プラスチック部材１８は垂直な方向で支承ピンに対してわずかな運動遊び（運動空間）を有している。切欠き部２５の幅の寸法（長孔の短軸の長さ）は、支承ピンの直径よりもわずかに小さくなっており、これにより切欠き部２５と支承ピン５との間に締まり嵌め部を形成してある。プラスチック部材１８の切欠き部２５と支承ピン５との間の締まり嵌め部は、係止用湾曲部材４が一方では、大きな力を加えることなしに、手動で旋回させられるものの、他方では意図しない操作なしには、前もって旋回させられた任意の位置に留まっているように規定されている。これによって係止用湾曲部材４の不都合な旋回若しくは開閉運動は避けられるようになっている。
【００３３】
係止脚部１１，１２に対する所定の位置でのプラスチック部材１８の位置決めは、支承ピン１５を介して行うほかに、係止用湾曲部材４に、係止脚部１１，１２の側方へ突出する湾曲部分２６を形成することによって行われている。Ｕ字形の湾曲部分（湾曲エレメント）２６の第１の脚部２７は、結合条片部（結合ウエブ）２８を介して係止アーム１６の自由な端部に結合されており、湾曲部分２６は係止用湾曲部材の完成状態ではほぼ１８０°にわたって折り返されて、第１の脚部２７を係止アーム１６に対して平行に配置し、かつ湾曲部分２６の第２の脚部２９を支承アーム１４に対して平行に配置してある。湾曲部分２６は、係止脚部１１，１２に対して次のように離間されており、つまり、プラスチック部材１８を湾曲部分２６と係止脚部１１，１２との間の空間内に保持するようになっている。つまり、係止用湾曲部材４に形成された湾曲部分２６は、プラスチック部材１８を受容して保持するために用いられている。さらに湾曲部分２６は、係止脚部１１，１２の過度な伸びを防止している。このために、湾曲部分２６の第２の脚部２９に支承ピン５のための切欠き部を設けてあり、該切欠き部（貫通部）は長孔３０として形成されている。湾曲部分２６の両方の脚部２７，２９を互いに結合する結合区分３１は、湾曲部分２６の拡開を防止できるように剛性に形成されている。
【００３４】
係止用湾曲部材４を開放位置から閉鎖位置へ旋回させると、係止アーム１６は係止突起部７上に係合して滑動し、係止脚部１１，１２を軽く拡開させることになる。この場合に係止アーム１６は、係止用湾曲部材４の図２に示す配置形式で上方へわずかに変位（旋回）させられる。湾曲部分２６の第１の脚部２７を結合条片部２８によって係止アーム１６に結合してあるので、第１の脚部２７も上方へ移動（変位）せしめられ、その結果、湾曲部分２６は第２の脚部２９に形成された長孔３０に基づき全体的に上方へ移動させられる。湾曲部分２６を剛性に形成してあるので、第１の脚部２７の上方への移動は、長孔３０の寸法により規定されている。長孔３０の下側の縁部と支承ピン５の下側の周面区分との間の接触により、湾曲部分２６の上方への引き続く移動は阻止される。その結果、係止脚部１１の引き続く拡開も阻止（防止）される。１つ若しくは複数の係止用湾曲部材４によって互いに係止結合されたケーシング部分２，３が、該ケーシング部分２，３を互いに引き離す方向に外力の作用を受けた場合に、係止脚部１１，１２の拡開は、湾曲部分２６の長孔３０内における支承ピン５の可能な最大運動距離に制限されている。係止脚部１１，１２の引き続く拡開（過度な拡開）は剛性な湾曲部分２６によって防止されており、つまり湾曲部分２６は、係止脚部１１，１２の過度な伸びを防止するための伸び防止機能を生ぜしめようになっている。
【００３５】
プラスチック部材１８は、該プラスチック部材の構成部分（滑動部分）１９を除いて、湾曲部分２６とほぼ同一の外形寸法を有していて、第１の取り付け領域（固定領域）としての第１の脚部２２でもって係止アーム１６と湾曲部分２６の第１の脚部２７との間に配置され、かつ第２の取り付け領域（固定領域）としての第２の脚部２３でもって支承アーム１４と湾曲部分２６の第２の脚部２９との間に配置されている。プラスチック部材１８の構成部分１９は、該構成部分１９が係止アーム１６の端部面２０とも、湾曲部分２６の第１の脚部２７の対応する面３２とも合致して重なり合うように寸法を規定されており、これにより、プラスチック部材１８の構成部分１９は、係止アーム１６の幅、第１の脚部２７の幅、及び係止アーム１６と第１の脚部２７との間の間隔の合計の寸法（値）にほぼ相当する寸法の幅を有している。
【００３６】
さらにプラスチック部材１８の構成部分１９には、ビード状の隆起部３３を設けてあり、該隆起部は係止アーム１６の対応する切欠き部（凹部）３４及び湾曲部分２６の第１の脚部２７の対応する切欠き部（凹部）３５内に係合し、つまり入り込んでおり、これによりプラスチック部材１８は、少なくとも該プラスチック部材の構成部分１９の領域で係止脚部１１，１２及び湾曲部分２６と嵌合結合（嵌め合い結合若しくは形状係合）されている。
【００３７】
差込式コネクタ１の取り付けスペースが狭いことに基づき、若しくは差込式コネクタ１の特殊な組み込み状態に基づき係止用湾曲部材４に手を近づけにくい場合にも、係止用湾曲部材４を容易に操作できるようにするために、グリップ部分１３に、操作工具のための操作開口部３６、例えばねじ回しの先端の差込のための操作開口部３６を設けてある。操作開口部３６内にねじ回しの先端を差し込むことによって延長されたレバーアーム（てこ腕）に基づき、係止用湾曲部材４の開閉のための大きな力を係止用湾曲部材４に作用させることができるようになっている。
【００３８】
図６から明らかなように、本発明に基づく係止用湾曲部材４は打ち抜き曲げ加工部品として形成されていてよく、つまり金属部材、特にばね鋼板材から簡単に打ち抜かれ、次いで曲げ加工されていてよいものである。さらに図６から明らかなように、係止用湾曲部材４は全体を一体に形成され、特に湾曲部分２６もそれぞれ結合条片部（結合領域又は結合区分若しくは結合ウエブ）２８を介して各係止脚部１１，１２の係止アーム１６に一体結合されている。
【符号の説明】
【００３９】
１  差込コネクタ、  ２，３  ケーシング部分、  ４  係止用湾曲部材、  ５  支承ピン、  ６  縦壁、  ７  係止突起部、  ８  縦壁、  ９，１０  横壁、  １１，１２  係止脚部、  １３  グリップ部分、  １４  支承アーム、  １５  支承ピン、  １６  係止アーム、  １７  ゴムシール、  １８  プラスチック部材、  １９  構成部分、  ２０  端部面、  ２２，２３  脚部、  ２４  連結部、  ２６  湾曲部分、  ２７  脚部、  ２８  結合条片部、  ２９  脚部、  ３０  長孔、  ３１  結合区分、  ３２  面、  ３３  隆起部、  ３４，３５  切欠き部、  ３６  操作開口部
【図１】
0005542363.tif 000002
【図２】
0005542363.tif 000003
【図３】
0005542363.tif 000004
【図４】
0005542363.tif 000005
【図５】
0005542363.tif 000006
【図６】
0005542363.tif 000007